(57)【要約】      （修正有）【課題】防犯カメラ付き街灯に関し、更には撮影機能を有し、停電時にも継続使用が可能なカメラ付き防犯灯を提供する。【解決手段】基枠部１と該基枠部１を他所に取り付けるための取り付け部２とを備え、基枠部１には魚眼レンズ１１Ａを有するカメラ部１１と、回りを照明するＬＥＤライトと、動きの気配を感知する人感センサー１３と、これらカメラ部１１、ＬＥＤライト、及び人感センサー１３を制御するコントローラ１４と、コントローラ１４を作動させる主電源のバックアップ用の補助電源１５を備え、主電源の遮断時に補助電源１５に切り替え可能であることを特徴とするカメラ付き防犯灯Ａ。【選択図】図１
0003205135.tif 000002
【実用新案登録請求の範囲】
【請求項１】
基枠部と該基枠部を他所に取り付けるための取り付け部とを備え、基枠部には魚眼レンズを有するカメラ部と、回りを照明するＬＥＤライトと、動きの気配を感知する人感センサーと、これらカメラ部、ＬＥＤライト、及び人感センサーを制御するコントローラと、コントローラを作動させる主電源のバックアップ用の補助電源を備え、主電源の遮断時に補助電源に切り替え可能であることを特徴とするカメラ付き防犯灯。
【請求項２】
ＬＥＤライトが魚眼レンズの周囲に間隔を置いて複数個配設されていることを特徴とする請求項１記載のカメラ付き防犯灯。
【請求項３】
人感センサーは、魚眼レンズの周囲に且つ両ＬＥＤライトの間に配設されていることを特徴とする請求項１記載のカメラ付き防犯灯。
【請求項４】
取り付け部は、街灯柱に締め付けにより固定されていることを特徴とする請求項１記載のカメラ付き防犯灯。
【請求項５】
撮影データを記録する記録部が基枠部から一定距離離れた位置に設けられており、記録部のメモリーが取り換え自在となっていることを特徴とする請求項１記載のカメラ付き防犯灯。
【考案の詳細な説明】
【技術分野】
【０００１】
本考案は、防犯カメラ付き街灯に関し、更には撮影機能を有し、停電時にも継続使用が可能な防犯カメラ付き街灯に関する。
【背景技術】
【０００２】
近年では、路上では照明用の街灯があらゆる場所に設置されているが、特に防犯用として現場を写すカメラを備えた街灯が多く見られるようになった。
カメラを備えた街灯は、その街灯の明かりを利用して撮影することができる。
そして、通常、このようなカメラ付き防犯灯は、撮影対象となるエリア（一定領域）にある街灯柱等の柱に設けられ、送電線からの電力を利用することにより作動される(特許文献１)。
撮影に際しては、街灯が照らすエリアに対し十分な明るさで撮影することができる。
【先行技術文献】
【特許文献】
【０００３】
【特許文献１】特開２０１５−１７１０４０号公報
【考案の概要】
【考案が解決しようとする課題】
【０００４】
しかしながら、従来の防犯カメラ付き街灯は、停電等により作動しなくなるという問題があった。
すなわち、停電時は送電線の電力も遮断されるところからカメラ自体が停止する。
同時に照明用の街灯光も消え、その結果、撮影エリアが暗くなり撮影できない。
本考案は、上記事情に鑑みてなされたものであり、撮影機能を有し、停電時にも継続使用が可能である防犯カメラ付き街灯に関する。
【課題を解決するための手段】
【０００５】
本考案者らは、上記課題を解決するため鋭意検討したところ、ＬＥＤライトとカメラの電源を送電線から補助電源に切り替え可能とすることにより、従来の問題点を解決できることを見出し、この知見により、本考案を完成させるに至った。
【０００６】
すなわち、本考案は、（１）、基枠部１と該基枠部１を他所に取り付けるための取り付け部２とを備え、基枠部１には魚眼レンズ１１Ａを有するカメラ部１１と、回りを照明するＬＥＤライト１２と、動きの気配を感知する人感センサー１３と、これらカメラ部１１、ＬＥＤライト１２、及び人感センサー１３を制御するコントローラ１４と、コントローラ１４を作動させる主電源のバックアップ用の補助電源１５を備え、主電源の遮断時に補助電源１５に切り替え可能であることを特徴とするカメラ付き防犯灯Ａに存する。
【０００７】
また、本考案は、（２）、ＬＥＤライト１２が魚眼レンズ１１Ａの周囲に間隔を置いて複数個配設されている上記（１）記載のカメラ付き防犯灯Ａに存する。
【０００８】
また、本考案は、（３）、人感センサー１３は、魚眼レンズ１１Ａの周囲に且つ両ＬＥＤライト１２の間に配設されている上記（１）記載のカメラ付き防犯灯Ａに存する。
【０００９】
また、本考案は、（４）、取り付け部２は、街灯柱に締め付けにより固定されている上記（１）記載のカメラ付き防犯灯Ａに存する。
【００１０】
また、本考案は、（５）撮影データを記録する記録部が基枠部１から一定距離離れた位置に設けられており、記録部のメモリーＭが取り換え自在となっている上記（１）記載のカメラ付き防犯灯Ａに存する。
【００１１】
尚、本考案は上記の（１）〜（５）を選択して組み合わせた構成も採用することがきる。
【考案の効果】
【００１２】
本考案のカメラ付き防犯灯Ａによれば、基枠部１と該基枠部１を他所に取り付けるための取り付け部２とを備え、基枠部１には魚眼レンズ１１Ａを有するカメラ部１１と、回りを照明するＬＥＤライト１２と、動きの気配を感知する人感センサー１３と、これらカメラ部１１、ＬＥＤライト１２、及び人感センサー１３を制御するコントローラ１４と、コントローラ１４を作動させる主電源のバックアップ用の補助電源１５を備え、主電源の遮断時に補助電源１５に切り替え可能であるので、停電時にも照明のもとで作動でき、必要となるエリアを確実に撮影することができる。
【００１３】
ＬＥＤライト１２が魚眼レンズ１１Ａの周囲に配設されているので、光に偏りなく撮影の対象エリアとなる領域に極力均一に照明することができる。
人感センサー１３は、魚眼レンズ１１Ａの周囲に且つ両ＬＥＤライト１２の間に配設されているので、そのための広い設置場所が不必要となる。
取り付け部２は、電灯柱Ｂの周囲をクランプして取り付けるものであるので、電灯柱Ｂに傷等が付くことはなく確実に固定され、また取り付け位置の高さの変更も容易にできる。
撮影データを記録する記録部が基枠部から一定距離離れた位置に設けられており、記録部のメモリーが取り換え自在となっているので、基枠部の下方に据え付けることができ、メモリーの取り換え自体が極めて容易に行える。
【図面の簡単な説明】
【００１４】
【図１】図１は、本考案のカメラ付き防犯灯全体を示すものであり街灯柱に取り付けた場合を一部断面で示す概略説明図である。
【図２】図２は、第１の実施形態の防犯カメラを説明する概略正面図である。
【図３】図３は、ユニバーサルジョイントを示す拡大断面図である。
【図４】図４は、コントローラからメモリーを取り外す場合を説明する図である。
【図５】図５は、カメラ付き防犯灯の昼間時の使用方法の例を示す。
【図６】図６は、カメラ付き防犯灯の夜間時の使用方法の例を示す。
【図７】図７は、通常時の切り替え回路を説明する図である。
【図８】図８は、停電時の切り替え回路を示す図である。
【図９】図９は、第２の実施形態のカメラ付き防犯灯全体を示すものであり、これも街灯柱に取り付けた場合を示す概略説明図である。
【図１０】図１０は、第２の実施形態のカメラ付き防犯灯を説明する概略正面図である。
【図１１】図１１は、カメラ付き防犯灯の取り付け方を説明する図である。
【図１２】図１２は、コントローラにドライブレコーダ機能やＧＰＳ機能を備えた  カメラ付き防犯灯を説明する図である。
【図１３】図１３は、記録部が基枠部から一定距離下方に配設した例を示す概略図であり、（Ａ）は、第１の実施形態のカメラ付き防犯灯の場合であり、（Ｂ）は、第２の実施形態のカメラ付き防犯灯の場合である。
【考案を実施するための形態】
【００１５】
本考案のカメラ付き防犯灯Ａは、防犯用として街灯柱等に取り付けて使用するものである。
カメラ付き防犯灯Ａとしての構造は、基枠部１、取り付け部２、カメラ部１１と、ＬＥＤライト１２と、人感センサー１３、コントローラ１４、補助電源１５を備えている。
【００１６】
更に詳しくは、本考案のカメラ付き防犯灯Ａは、基枠部１と該基枠部１を他所に取り付けるための取り付け部２とを備え、基枠部１には魚眼レンズ１１Ａを有するカメラ部１１と、周囲を照明するＬＥＤライト１２と、動きの気配を感知する人感センサー１３と、これらを制御するコントローラ１４と該コントローラ１４の主電源のバックアップとなる補助電源１５を備えるものである。
【００１７】
（第１の実施形態）
図１はそのカメラ付き防犯灯Ａ全体を示すものであり街灯柱に取り付けた場合を一部断面で示す概略説明図である。
また、図２は、本考案の第１の実施形態の防犯カメラを説明する概略正面図である。
【００１８】
本考案に係る第１のカメラ付き防犯灯Ａは、図に示すように、枠組みを構成する基枠部１と該基枠部１を他所に取り付けるための取り付け部２２とを備える。
この基枠部１には魚眼レンズ１１Ａを有するカメラ部１１と、魚眼レンズ１１Ａの周囲に配置したＬＥＤライト１２と、両ＬＥＤライト１２の間に配置した気配を感知する人感センサー１３と、これらを制御する制御ゴントローラ部１４と、該コントローラ１４の主電源をバックアップするための補助電源１５とを備えるものである。
【００１９】
まず、基枠部１は枠組みを構成するケーシングであり、その前部にカメラ部１１が設けられている。
このカメラ部１１は前方に魚眼レンズ１１Ａを備えており、この魚眼レンズ１１Ａを介して撮影することにより、少なくとも１８０度の視野での撮影が可能である。
【００２０】
また、このカメラ部１１の周囲（詳しくは魚眼レンズ１１Ａの周囲）には間隔を空けて複数のＬＥＤライト１２が設けられている。
このＬＥＤライト１２により一定のエリア(必要な照明領域)において前方を広く照らすことができ、カメラ部１１により明確にそのエリアの風景を撮影することができる。
ＬＥＤライト１２は魚眼レンズ１１Ａの周囲に間隔を空けて設けられているため光が偏らず均一にエリアが照明される。
【００２１】
また、カメラ部１１の周囲の一部には人感センサー１３が設けられている。
この実施の形態では、人感センサー１３は魚眼レンズ１１Ａの周囲に且つ２つのＬＥＤライト１２の間に配設されており、そのための広い設置場所が不必要となる。
人感センサー１３によりエリアがＬＥＤライト１２で明るく照らされている状態で前方にある人体等の気配を察知することができる。
人感センサー１３としては、赤外線センサーが通常用いられ、人体の熱に感応して作動するものが採用される。  
【００２２】
ところで、本考案のカメラ部１１による撮影においては、そのカメラ自体は魚眼レンズ１１Ａを有するため広角で撮ることができる。
しかし、より広いエリアを撮るにはカメラ部自体が上下左右に動くことが好ましい。
そのため、カメラ部１１を備えている基枠部１が上下左右に動くような構造となっている。
すなわち、取り付け部２と基枠部１との間に、回動自在のユニバーサルジョイントを備えており、基枠部１は、取り付け部２に対して前後方向或いは左右方向に高い自由度で動くことができる。
【００２３】
図３は、そのユニバーサルジョイントを示す拡大断面図である。
このユニバーサルジョインは、必要に応じて人手で角度を変えることができるが、自動で連続的に動かすようにすることも可能である。
ところで、このカメラ付き防犯灯Ａの取り付け方法は、対象となる支持体、例えば街灯柱の周囲を締め付けて固定する仕方がある。
この場合、締め付けにより街灯柱に圧接力を与えるだけなので、それを傷付けるようなことがない。
【００２４】
また、別の取り付け方法として、直接、街灯柱にボルト等の固定具を打ち込んで固定する仕方がある。
一方、本カメラ付き防犯灯Ａの基枠部１にはコントローラ１４が設置されている。
コントローラ１４はカメラ部１１、ＬＥＤライト１２、人感センサー１３等を制御する部分である。
コントローラ１４には、記憶部を備えており、撮像した映像をデジタルデータとして記録しておくことができる。
【００２５】
この記憶部には、メモリーＭが取り外し自在に設けられており、コントローラ１４からこのメモリーＭを取り外して別のメモリーＭに交換することができる。
すなわち、現場の撮像記録は記録データ（デジタルデータ）としてメモリーＭに蓄積されるが、一定の蓄積量になるとそのメモリーＭを別の新しいメモリーＭと交換することとなる。
【００２６】
図４は、コントローラ１４からメモリーＭを取り外す場合を説明する図である。
基枠部１に設けられた後蓋１Ａを開けてメモリーＭを取り出して新しいメモリーＭと交換する。
次に、本考案のカメラ付き防犯灯Ａの使用態様について述べる。
【００２７】
図５は、カメラ付き防犯灯Ａの昼間時の使用方法の例を示す。
人感センサー１３が人の気配を認識して反応したら、その信号を受け瞬時にカメラ部１１が反応してカメラ撮影を開始する。
尚、この場合、カメラ部１１による撮影は、連続撮影や一定の時間間隔撮影等種々の撮影手法が可能である。
ここで撮像記録データは、常時、先述した記憶部のメモリーＭに記録されるので、仮にカメラ部１１が破壊されても記録は残っていることとなる。
一定量の撮像記録データがメモリーＭに蓄積されると別のメモリーＭと交換することができる。
【００２８】
図６は、カメラ付き防犯灯Ａの夜間時の使用方法の例を示す。
今、人感センサー１３が人体の気配を認識して反応したら、その信号を受けて瞬時にＬＥＤライト１２が点灯し、これにより一定のエリアが照明される。
そして同時に、人感センサー１３の反応により撮影が開始されてその状況を撮影する。
この場合もその撮像記録データは、常時、記憶部の記録メモリーＭに記録される。
この後、必要に応じてメモリーＭを交換する。
【００２９】
（補助電源）
ここで、本考案では補助電源１５が設けられていることも特徴の一つである。
撮影中、落雷等の原因により突然、防犯カメラの電源が遮断し停電する障害が生じる場合がある。
このような時、本カメラ付き防犯灯Ａには、バックアップのための補助電源１５（非常用蓄電池等）が備わっているため、瞬時にその補助電源１５に切り替えることができる。
通常は、カメラ付き防犯灯Ａは街灯柱からの配線を介して電力を使っているが、停電事故によりその電力が遮断されると、直ちにバックアップ用の補助電源１５に切り替わり、通常の撮影モードが維持される。
【００３０】
図７は、通常時の切り替え回路を説明する図である。
上述したように、通常は、街灯等からの交流電源（Ａ/Ｃ電源）はＡＣ/ＤＥ変換器、すなわちコンバータを介して直流に変換し使用される(図７矢印参照)。
そのためコントローラ１４により、カメラ部１１、ＬＥＤライト１２、人感センサー１３を作動制御させることができる。  
【００３１】
図８は、停電時の切り替え回路を示す図である。
停電時は、街灯等からの交流電源（A/C電源）が遮断して使えない。
しかし、上述したように、バックアップ用の補助電源１５を備えているので、何らかの原因で交流電源が遮断しても、直ちにバックアップ用の補助電源１５に切り替わる(図８矢印参照)。
補助電源１５である非常用蓄電池は、直流なのでそのまま使え、コントローラ１４によりカメラ部１１、ＬＥＤライト１２、人感センサー１３等を作動制御させることができる。
【００３２】
（第２の実施形態）
図９は、第２の実施形態のカメラ付き防犯灯Ａ全体を示すものであり、これも街灯柱に取り付けた場合を示す概略説明図である。
【００３３】
また、図１０は、本考案の第２の実施形態の防犯カメラを説明する概略正面図である。
本考案に係るカメラ付き防犯灯Ａは、図に示すように、基枠部１と該基枠部１を他所に取り付けるための取り付け部２とよりなり、基枠部１には魚眼レンズ１１Ａを有するカメラ部１１と、魚眼レンズ１１Ａの周囲に配置したＬＥＤライト１２と、人感センサー１３と、更には、バックアップ電源を備えるものであることは、先述した第１の実施形態と同じである。
【００３４】
相違点は、基枠部１に設けられた魚眼レンズ１１Ａを有するカメラ部１１と、ＬＥＤライト１２、人感センサー１３との配置が異なる。
このカメラ付き防犯灯Ａは、その設置場所の真下のエリア（一定領域）を撮像するものである。
基枠部１は、取り付け部２に枢着されており、左右方向に（水平方向に）動かすことができる。
ここでカメラ付き防犯灯Ａの取り付け部２は、取り付け部２の支持部２１と反対側の把持板部２２とで強く把持して固定する。
【００３５】
図１１は、カメラ付き防犯灯Ａの取り付け方を説明する図である。
すなわち、支持部２１と把持板部２で電灯柱Ｂを挟み長尺ボルトＬとナットＮを使って圧接して締め付ける。
そのため電灯柱Ｂに傷等が付くことはなく確実に固定され、また取り付け位置の高さを容易に変えることができる。
【００３６】
以上、本考案のカメラ付き防犯灯Ａについて述べてきたが、本考案は、上述した実施の形態で説明した範囲に限定されるものではなく、その目的に沿うものであれば、種々の変更が可能である。
【００３７】
例えば、ＧＰＳ機能を付与することもでき、その場合、撮影時間に関しても時差の確認が不要となる等の利点がある。
また、映像の記録はドライブレコーダを使用することで、例えば、人感センサーが感知したＸ秒手前(例えば２０秒前)からの記録を残すことができる。
【００３８】
図１２は、コントローラにドライブレコーダ機能やＧＰＳ機能を備えた  カメラ付き防犯灯Ａを説明する図である。
また、撮影データを記録する記録部が基枠部ではなく、それから一定距離離れた位置に、例えば、１ｍ下方に設けられ、記録部のメモリーを取り換え自在にすることも可能である。
【００３９】
図１３は、記録部が基枠部１から一定距離下方に配設した例を示す概略図であり、（Ａ）は、第１の実施形態のカメラ付き防犯灯Ａの場合であり、（Ｂ）は、第２の実施形態のカメラ付き防犯灯Ａの場合である。
メモリー交換の位置が下方に下がることにより、人手によるメモリーＭの交換が極めて容易に行える利点がある。
カメラ付き防犯灯ＡのＬＥＤライト１２の数は変更可能であり、人感センサー１３の配置位置も変更可能である。
【００４０】
また、取り付け部２の電灯柱Ｂに対する取り付け構造は、締め付けや、固定具の他に種々の変更例が可能である。
【産業上の利用可能性】
【００４１】
本考案に係るカメラ付き防犯灯Ａは、基枠部１と該基枠部１を他所に取り付けるための取り付け部２とを備え、基枠部１には魚眼レンズ１１Ａを有するカメラ部１１と、回りを照明するＬＥＤライト１２と、動きの気配を感知する人感センサー１３と、これらカメラ部１１、ＬＥＤライト１２、及び人感センサー１３を制御するコントローラ１４と、コントローラを作動させる主電源のバックアップ用の補助電源１５を備え、主電源の遮断時に補助電源１５に切り替え可能であることで停電時にも確実に照明のもとで作動でき、必要となるエリアを確実に撮影することができる。
防犯用の他にも、照明用として広く採用することができる。
【符号の説明】
【００４２】
１…基枠部
１Ａ…後蓋
１１…カメラ部
１１Ａ…魚眼レンズ
１２…ＬＥＤライト
１３…人感センサー
１４…コントローラ
１５…補助電源
２…取り付け部
２１…支持部
２２…把持板部
Ａ…カメラ付き防犯灯
Ｂ…電灯柱
Ｍ…メモリー
【図１】
0003205135.tif 000003
【図２】
0003205135.tif 000004
【図３】
0003205135.tif 000005
【図４】
0003205135.tif 000006
【図５】
0003205135.tif 000007
【図６】
0003205135.tif 000008
【図７】
0003205135.tif 000009
【図８】
0003205135.tif 000010
【図９】
0003205135.tif 000011
【図１０】
0003205135.tif 000012
【図１１】
0003205135.tif 000013
【図１２】
0003205135.tif 000014
【図１３】
0003205135.tif 000015